(57)【特許請求の範囲】
【請求項１】
被冷房室の天井から輻射冷房を行う輻射冷房手段と、前記被冷房室内の天井近傍の空気を床側に送る送風と前記被冷房室内の床側の空気を天井近傍に送る送風を切換えて運転可能な送風手段と、前記被冷房室の室内情報を検知する検知手段と、この検知手段の検知結果に基づいて前記輻射冷房手段の運転及び前記送風の向きの決定を含む送風手段の運転を制御する制御手段を備えた冷房システムであって、前記検知手段として少なくとも前記被冷房室内に居る人を検知する人感センサーを備えたことを特徴とする冷房システム。
【請求項２】
前記検知手段として、少なくとも、前記人感センサーと、前記被冷房室内の床側の室温を検知する雰囲気温度検知センサーを備え、前記制御手段が、少なくとも前記人感センサーの検知結果と前記雰囲気温度検知センサーで検知した室温と予め設定された設定温度に基づいて前記輻射冷房手段の運転及び送風手段の運転を制御するものであることを特徴とする請求項１に記載の冷房システム。
【請求項３】
前記検知手段として、少なくとも、前記人感センサーと、前記被冷房室内の床側の室温を検知する雰囲気温度検知センサーと、前記被冷房室内の天井近傍の温度を検知する天井近傍温度検知センサーを備え、前記制御手段が、少なくとも前記人感センサー、前記雰囲気温度検知センサー、及び前記天井近傍温度検知センサーの検知結果と、予め設定された設定温度に基づいて前記輻射冷房手段の運転及び送風手段の運転を制御するものであることを特徴とする請求項１に記載の冷房システム。
【請求項４】
前記制御手段が前記人感センサーの検知結果に基づいて前記被冷房室内の人の有無を判定し、前記被冷房室内に人が居るときには前記輻射冷房手段を運転し、前記被冷房室内に人が居ないときには前記輻射冷房手段の運転を停止するものであることを特徴とする請求項１乃至３のいずれか一項に記載の冷房システム。
【請求項５】
前記制御手段が、前記被冷房室内に人が居るときに前記輻射冷房手段を運転すると共に前記送風手段を天井近傍の空気が床側に送られるように運転し、前記被冷房室内に人が居ないときに前記輻射冷房手段の運転を停止すると共に前記送風手段を停止する又は前記送風手段を被冷房室内の床側の空気が天井近傍に送られるように運転することを特徴とする請求項４に記載の冷房システム。
【請求項６】
前記検知手段として、少なくとも、前記人感センサーと、前記被冷房室の壁面の温度を検知する壁用温度センサーを備え、前記制御手段が、少なくとも前記人感センサーの検知結果と前記壁用温度センサーで検知した温度と予め設定された設定温度に基づいて前記輻射冷房手段の運転及び送風手段の運転を制御するものであることを特徴とする請求項１乃至５のいずれか１項に記載の冷房システム。
【請求項７】
前記制御手段として、前記送風手段の運転を制御する送風手段用制御器と、前記輻射冷房手段の運転を制御する輻射冷房手段用制御器と、前記検知手段の検知結果に基づいて前記送風手段用制御器と前記輻射冷房手段用制御器の夫々に制御信号を送ることで送風手段の運転及び輻射冷房手段の運転を間接的に制御するコントローラーを備え、前記送風手段用制御器、輻射冷房手段用制御器、及びコントローラーの三者が個別に設けられたことを特徴とする請求項１乃至６のいずれか１項に記載の冷房システム。
【発明の詳細な説明】
【技術分野】
【０００１】
本発明は輻射冷房を行う冷房システムに関する。
【背景技術】
【０００２】
従来、室内に居る人に対してドラフト感を与えずに緩やかな冷房を行うため、天井からの冷輻射によって冷房を行う輻射冷房装置が利用されている。
【０００３】
特許文献１には、天井に設けられて被冷房室の輻射冷房を行う輻射パネルと、被冷房室内の空気を攪拌する天井扇を備えた冷房システムが開示されている。この冷房システムは、表面温検知手段で検知した輻射パネルの表面温度と室温検知手段で検知した室温に基づいて被冷房室内の温度分布が均一になるよう天井扇の運転を制御している。
【先行技術文献】
【特許文献】
【０００４】
【特許文献１】特開平６−１５９７７４号公報
【発明の概要】
【発明が解決しようとする課題】
【０００５】
ところで、特許文献１のシステムによる冷房は、被冷房室の室内情報に基づいて天井扇のみを制御するものであるので、冷房環境を細かく設定できず、快適で効率の良い冷房を行うことが難しい。また、被冷房室内の温度環境は、気温、天候、冷房時間、人の有無等の様々な要因によって多様に変化するため、特許文献１のように天井扇の運転のみを制御するだけでは、被冷房室内を速やかに目的の温度環境とすることが難しい。
【０００６】
本発明は上記事情に鑑みてなされたものであって、冷房環境を細かく設定した冷房を行うことができ、被冷房室内を速やかに目的の温度環境にできる冷房システムを提供することを課題とする。
【課題を解決するための手段】
【０００７】
上記課題を解決するために本発明の冷房システムは、被冷房室の天井から輻射冷房を行う輻射冷房手段と、前記被冷房室内の天井近傍の空気を床側に送る送風と前記被冷房室内の床側の空気を天井近傍に送る送風を切換えて運転可能な送風手段と、前記被冷房室の室内情報を検知する検知手段と、この検知手段の検知結果に基づいて前記輻射冷房手段の運転及び前記送風の向きの決定を含む送風手段の運転を制御する制御手段を備えた冷房システムであって、前記検知手段として少なくとも前記被冷房室内に居る人を検知する人感センサーを備えたことを特徴とする。
【０００８】
また、前記検知手段として、少なくとも、前記人感センサーと、前記被冷房室内の床側の室温を検知する雰囲気温度検知センサーを備え、前記制御手段が、少なくとも前記人感センサーの検知結果と前記雰囲気温度検知センサーで検知した室温と予め設定された設定温度に基づいて前記輻射冷房手段の運転及び送風手段の運転を制御するものであることが好ましい。
【０００９】
また、前記検知手段として、少なくとも、前記人感センサーと、前記被冷房室内の床側の室温を検知する雰囲気温度検知センサーと、前記被冷房室内の天井近傍の温度を検知する天井近傍温度検知センサーを備え、前記制御手段が、少なくとも前記人感センサー、前記雰囲気温度検知センサー、及び前記天井近傍温度検知センサーの検知結果と、予め設定された設定温度に基づいて前記輻射冷房手段の運転及び送風手段の運転を制御するものであることが好ましい。
【００１１】
また、前記制御手段が前記人感センサーの検知結果に基づいて前記被冷房室内の人の有無を判定し、前記被冷房室内に人が居るときには前記輻射冷房手段を運転し、前記被冷房室内に人が居ないときには前記輻射冷房手段の運転を停止するものであることが好ましい。
【００１２】
また、この場合、前記制御手段が、前記被冷房室内に人が居るときに前記輻射冷房手段を運転すると共に前記送風手段を天井近傍の空気が床側に送られるように運転し、前記被冷房室内に人が居ないときに前記輻射冷房手段の運転を停止すると共に前記送風手段を停止する又は前記送風手段を被冷房室内の床側の空気が天井近傍に送られるように運転することが好ましい。
【００１３】
また、前記検知手段として、少なくとも、前記人感センサーと、前記被冷房室の壁面の温度を検知する壁用温度センサーを備え、前記制御手段が、少なくとも前記人感センサーの検知結果と前記壁用温度センサーで検知した温度と予め設定された設定温度に基づいて前記輻射冷房手段の運転及び送風手段の運転を制御するものであることが好ましい。
【００１４】
また、前記制御手段として、前記送風手段の運転を制御する送風手段用制御器と、前記輻射冷房手段の運転を制御する輻射冷房手段用制御器と、前記検知手段の検知結果に基づいて前記送風手段用制御器と前記輻射冷房手段用制御器の夫々に制御信号を送ることで送風手段の運転及び輻射冷房手段の運転を間接的に制御するコントローラーを備え、前記送風手段用制御器、輻射冷房手段用制御器、及びコントローラーの三者が個別に設けられることが好ましい。
【発明の効果】
【００１５】
本発明にあっては、検知手段で検知した被冷房室の室内情報に基づいて輻射冷房手段の運転及び送風の向きの決定を含む送風手段の運転を制御することができ、冷房環境を細かく設定した冷房を行うことができる。また被冷房室内を速やかに目的の温度環境にできる。
【図面の簡単な説明】
【００１６】
【図１】本発明の第一実施形態の冷房システムの概略構成図である。
【図２】同上の輻射冷房手段で被冷房室内の空気を冷房する様子を示す説明図である。
【図３】同上のブロック図である。
【図４】同上の制御フローである。
【図５】第二実施形態の冷房システムの概略構成図である。
【図６】同上のブロック図である。
【図７】（ａ）〜（ｄ）は縦軸を高さ、横軸を温度とし、同上の温度Ｔｃ、室温Ｔａ、及び設定温度Ｔｅ１，Ｔｅ２をプロットしたグラフである。
【図８】第三実施形態の冷房システムの概略構成図である。
【図９】同上のブロック図である。
【図１０】同上のタイムチャートである。
【図１１】第四実施形態の冷房システムのタイムチャートである。
【図１２】第五実施形態の冷房システムの概略構成図である。
【図１３】同上のブロック図である。
【図１４】横軸を室温Ｔａ、縦軸を壁面平均温度Ｔｗａとして、室温Ｔａと壁面平均温度Ｔｗａの組み合わせが属するエリアを表したグラフである。
【図１５】内装パネルを示す説明図である。
【発明を実施するための形態】
【００１７】
以下、本発明を添付図面に基づいて説明する。
【００１８】
（第一実施形態）まず、第一実施形態について説明する。図１乃至図４に示す本実施形態の冷房システムは、建物の一室からなる被冷房室１の輻射冷房を行うものである。
【００１９】
この冷房システムは、被冷房室１の天井２から輻射冷房を行う輻射冷房手段３と、被冷房室１内の空気を攪拌するための送風手段５を備えている。また、被冷房室１の室内情報を検知する検知手段６と、検知手段６の検知結果に基づいて輻射冷房手段３と送風手段５の両者の運転を制御する制御手段７と、操作器２０を備えている。
【００２０】
輻射冷房手段３は天井２に設けられた冷却部８（図１、図２参照）と冷却装置９（図３参照）で構成されている。冷却部８は被冷房室１の天井面全体を構成する天井材からなり、冷却装置９はエアコンディショナーからなる。冷却装置９は天井２裏に設置され、コンプレッサー１０及びファン１１（図３参照）を駆動することで、図２のように天井２裏空間において冷却部８上に冷気を流し、これにより冷却部８を冷却して冷輻射による輻射冷房を行う。また、この輻射冷房手段３は輻射冷房手段３の運転レベルを切換えられるようになっている。この輻射冷房手段３の運転レベルの強弱の切換えは例えばコンプレッサー１０やファン１１の出力を調整したり、間欠運転を行ったりすることにより行われる。
【００２１】
送風手段５は被冷房室１の天井面の中央部に設けられた天井扇からなる。この送風手段５はファンを正逆両方向に回転駆動でき、一方向に回転することにより図１中矢印ａに示すように被冷房室１の天井２近傍の空気を下方の床側に送る下向き送風を行うことができる。また、ファンを逆方向に回転することにより図１中矢印ｂに示すように床側の空気を上方の天井２近傍に送る上向き送風を行うことができる。
【００２２】
検知手段６は自動冷房時において輻射冷房手段３及び送風手段５の駆動方法を決定するための因子となる被冷房室１の室内情報を検知する。本実施形態では、検知手段６として、天井近傍温度検知センサー１５と、雰囲気温度検知センサー１６と、壁用温度センサー１７と、人感センサー１８を備えている。なお、各センサー１５，１６，１７，１８は必要に応じて複数設けても構わない。
【００２３】
天井近傍温度検知センサー１５は送風手段５に設けられて天井２近傍に配置され、被冷房室１の天井２近傍の温度Ｔｃを検知する。雰囲気温度検知センサー１６は被冷房室１の壁面１９において上下方向の中程の位置に設置された操作器２０に設けられ、被冷房室１の床側（すなわち前記天井２近傍よりも下側の空間）の室温Ｔａ（すなわち一般に利用者が存在する領域の雰囲気温度）を検知する。壁用温度センサー１７は焦電センサーからなり、雰囲気温度検知センサー１６と略同じ高さ位置の壁面１９の温度Ｔｗを検知する。人感センサー１８は焦電センサー等からなり、送風手段５に設けられて被冷房室１内の人の有無を検出する。
【００２４】
制御手段７は、送風手段用制御器２１と、輻射冷房手段用制御器２２と、コントローラー２３で構成され、これら三者は個別に設けられる。
【００２５】
送風手段用制御器２１は制御対象となる送風手段５と通信可能であり、送風手段５の運転状況をコントローラー２３に送信する。輻射冷房手段用制御器２２は制御対象となる輻射冷房手段３と通信可能であり、輻射冷房手段３の運転状況をコントローラー２３に送信する。また、輻射冷房手段用制御器２２は、天井近傍温度検知センサー１５、壁用温度センサー１７、及び人感センサー１８とも通信可能であり、天井近傍温度検知センサー１５、壁用温度センサー１７、及び人感センサー１８で検知したデータをコントローラー２３に送信する。
【００２６】
操作器２０は設定温度Ｔｅを設定するための操作部２５を有している。また、操作器２０は輻射冷房手段３及び送風手段５の運転状態を表示する表示機能も有している。
【００２７】
コントローラー２３は操作器２０に設けられ、雰囲気温度検知センサー１６及び操作部２５と通信可能とされ、雰囲気温度検知センサー１６で検知したデータ及び操作部２５で設定されたデータはコントローラー２３に送信されるよう設定されている。
【００２８】
前記設定温度Ｔｅを設定した状態で利用者により操作部２５が操作されると制御手段７により輻射冷房手段３と送風手段５の両者の運転を制御して自動冷房が行われる。この自動冷房時には制御手段７により図４に示す制御が所定時間（例えば１分）毎に繰り返し行われ、これにより輻射冷房手段３と送風手段５の両者の運転が制御される。
【００２９】
図４に示すワンサイクルの制御では、まずコントローラー２３が、センサー１５〜１８を用いて、温度Ｔｃ、室温Ｔａ、壁面温度Ｔｗ、及び被冷房室１内の人の有無の夫々を検知結果として取得する。そして、これら検知結果と、前記操作器２０により予め設定された設定温度Ｔｅに基づいて以下のように輻射冷房手段３と送風手段５の運転を制御する。
【００３０】
コントローラー２３は、まず室温Ｔａと壁面温度Ｔｗに基づいて被冷房室１内に居る人が体に感じる暑さの指標としての温度Ｔｆを算出する（ｓ１）。次に温度Ｔｃから室温Ｔａを差し引いた差ΔＴを算出する（ｓ２）。次に人感センサー１８の検知結果に基づいて被冷房室１内の人の有無を判定する（ｓ３）。そして、以下の表１に基づきΔＴが０度以上であるか否か及び被冷房室１内の人の有無に応じて、輻射冷房手段３及び送風手段の駆動方法を決定する。なお、表１の（１２）では、温度Ｔｆが設定温度Ｔｅ以下で温度Ｔｃが室温Ｔａ以上、且つ被冷房室１に人が居ないときに、輻射冷房手段３及び送風手段５の運転を停止するよう制御している。しかし、この場合、輻射冷房手段３を運転レベルを弱にして運転すると共に送風手段５を上向き送風で運転し、被冷房室１内の空気を天井２近傍に送って輻射冷房手段３の冷却部８で冷却するようにしても構わない。
【００３１】
【表１】
0005491965.tif 000002
【００３２】
以上のとおり本実施形態では検知手段６で検知した被冷房室１の室内情報に基づいて輻射冷房手段３及び送風手段５の両者の運転を制御するものであるため、冷房環境を細かく設定した冷房を行うことができ、また被冷房室１内を速やかに目的の温度環境にできる。
【００３３】
また、本実施形態では、雰囲気温度検知センサー１６及び天井近傍温度検知センサー１５の検知結果と予め設定された設定温度Ｔｅに基づいて輻射冷房手段３の運転及び送風手段５の運転を制御する。すなわち、表１（１），（３），（５），（７），（９），（１１）に示されるように被冷房室１内に人が居る状況では、温度Ｔｆから設定温度Ｔｅを差し引いた差の大小に応じて、輻射冷房手段３の運転レベルの切換え（運転・停止の切換えを含む）と送風手段５の運転・停止を切換える。このため、利用者にとって快適な冷房を行うことができる。特に表１（１），（７），（９）に示されるように温度Ｔｆと設定温度Ｔｅの差が大きいときには、輻射冷房手段３を運転レベルを強にして運転すると共に送風手段５を下向き送風で運転する。このため、輻射冷房手段３の冷却部８で冷却された冷気を利用者に向けて送風するドラフト感のある冷房を行うことができる。また、表１（３），（５），（１１）のように温度Ｔｆと設定温度Ｔｅの差が小さいときには、輻射冷房手段３の運転レベルを下げたり、又は輻射冷房手段３の運転を停止したり、あるいは送風手段５の運転を停止したりしてドラフト感のない体に優しい冷房を行うことができる。
【００３４】
また、表１（２），（４）では、温度Ｔｃが室温Ｔａよりも低くてΔＴが小さい場合には送風手段５が上向き送風で運転される。また、表１（８），（１０）では温度Ｔｃが室温Ｔａ以上でΔＴが大きい場合には送風手段５の運転が停止される。この制御により、輻射冷房手段３の運転停止後において冷却部８の温度が低い場合に送風手段５により被冷房室１内の空気を天井２近傍に送って冷却部８で冷却することができ、運転停止後の冷却部８を有効に利用して被冷房室１内の床側の室温を低下させることができる。また、輻射冷房手段３の運転停止後において冷却部８の温度が高い場合に送風手段５の運転を停止して省エネルギー化が図れる。
【００３５】
また、本実施形態では、検知手段６として被冷房室１内に居る人を検知する人感センサー１８を備えている。そして、人感センサー１８の検知結果に基づいて被冷房室１内の人の有無を判定し、被冷房室１内に人が居るときには輻射冷房手段３を運転し、被冷房室１内に人が居ないときには輻射冷房手段３の運転を停止する。このため、被冷房室１内に居る人に対して効率良く冷房を行える。
【００３６】
また、この場合、表１の（１），（３），（７），（９）のように被冷房室１内に人が居るときに輻射冷房手段３を運転すると共に送風手段５を天井２近傍の空気が床側に送られるように運転する。また、表１の（２），（４）、（８），（１０）のように被冷房室１内に人が居ないときに輻射冷房手段３の運転を停止すると共に送風手段５を停止する又は送風手段５を被冷房室１内の床側の空気が天井近傍に送られるように運転する。この制御により、人が居るときに冷却部８で冷却された冷たい空気を床側に送ってドラフト感のある冷房を行える。また、人が居ないときには、被冷房室１内の空気を天井２近傍に送って冷却部８で冷却し、運転停止後の冷却部８を有効に利用して被冷房室１内の床側の室温を低下させることができる。
【００３７】
また、本実施形態では検知手段６として壁用温度センサー１７を備え、壁用温度センサー１７で検知した壁面温度Ｔｗと予め設定された設定温度Ｔｅに基づいて輻射冷房手段３の運転及び送風手段５の運転を制御する。このようにすると、壁面１９からの放射熱を考慮して輻射冷房手段３及び送風手段５の運転を制御できる。例えば本実施形態では、温度Ｔｆを、雰囲気温度検知センサー１６で検知した被冷房室１の床側の室温Ｔａと、壁用温度センサー１７で検知した壁面温度Ｔｗから算出している。このため、被冷房室１の雰囲気温度となる室温Ｔａのみならず、壁面１９からの放射熱をも考慮して、輻射冷房手段３と送風手段５を利用者にとって快適になるよう運転できる。
【００３８】
また、送風手段用制御器２１、輻射冷房手段用制御器２２、及びコントローラー２３の三者が個別に設けられている。このため、送風手段５と送風手段用制御器２１のセットや、輻射冷房手段３と輻射冷房手段用制御器２２のセット、あるいは両者を組み合わせた冷房システムを構築することが可能になる。また、これらを集中制御するコントローラー２３や必要な各種センサーを追加することで本実施形態の冷房システムを構築でき、冗長性の高い冷房システムとすることができる。
【００３９】
なお、本実施形態では天井近傍温度検知センサー１５、壁用温度センサー１７、及び人感センサー１８の夫々で検知したデータを送風手段用制御器２１を介してコントローラー２３に送信されるようにした。しかし、これらデータは直接コントローラー２３に送信されるようにしてもよい。また、本実施形態では操作器２０にコントローラー２３を設けたが、コントローラー２３を操作器２０とは別に設けてもよい。また、本実施形態では、各種データをコントローラー２３に送信し、コントローラー２３により送風手段用制御器２１や輻射冷房手段用制御器２２を介して送風手段５及び輻射冷房手段３を制御するようにした。しかし、各種データを送風手段用制御器２１に送信し、送風手段用制御器２１で輻射冷房手段３及び送風手段５を制御したり、各種データを輻射冷房手段用制御器２２に送信し、輻射冷房手段用制御器２２で輻射冷房手段３及び送風手段５を制御してもよい。
【００４０】
（第二実施形態）次に第二実施形態について説明する。なお、本実施形態では第一実施形態と同一の構成については同一の番号を付与し、第一実施形態と重複する説明は省略する。
【００４１】
図５乃至図７に示す本実施形態の冷房システムは、検知手段６として天井近傍温度検知センサー１５と雰囲気温度検知センサー１６のみを備えている。また、操作器２０の操作部２５を操作することで、被冷房室１の天井近傍の目標室温となる設定温度Ｔｅ１と、被冷房室１の天井２近傍よりも下側の目標室温となる設定温度Ｔｅ２を設定できるようになっている。また、制御手段７はコントローラー２３を有さず、送風手段５の運転状況、雰囲気温度検知センサー１６で検知したデータ及び操作部２５で設定されたデータは送風手段用制御器２１に送信されるよう設定されている。
【００４２】
本実施形態でも設定温度Ｔｅ１，Ｔｅ２を設定した状態で利用者により操作部２５が操作されることで、制御手段７により輻射冷房手段３と送風手段５の両者の運転を制御して自動冷房が行われる。この自動冷房時に所定時間毎に実行されるワンサイクルの制御では、送風手段用制御器２１が天井近傍温度検知センサー１５及び雰囲気温度検知センサー１６を用いて被冷房室１の天井２近傍の温度Ｔｃと被冷房室１の床側の室温Ｔａを検知結果として取得する。そして、これら検知結果と設定温度Ｔｅ１，Ｔｅ２に基づいて以下のように輻射冷房手段３と送風手段５の両者の運転を制御する。
【００４３】
すなわち、送風手段用制御器２１は、前記ワンサイクルの制御において、まず図７（ａ）〜（ｄ）に示す第一〜第四の温度環境のうち、いずれの温度環境にあるかを判定する。図７（ａ）に示す第一の温度環境は、温度Ｔｃが設定温度Ｔｅ１以上で且つ室温Ｔａが設定温度Ｔｅ２未満の状態である。図７（ｂ）に示す第二の温度環境は温度Ｔｃが設定温度Ｔｅ１未満で且つ室温Ｔａが設定温度Ｔｅ２以上の状態である。図７（ｃ）に示す第三の温度環境は、温度Ｔｃが設定温度Ｔｅ１以上で且つ室温Ｔａが設定温度Ｔｅ２以上の状態である。図７（ｄ）に示す第四の温度環境は、温度Ｔｃが設定温度Ｔｅ１未満で且つ室温Ｔａが設定温度Ｔｅ２未満の状態である。
【００４４】
そして、送風手段用制御器２１は、前記第一の温度環境にある場合は輻射冷房手段３を運転すると共に送風手段５を上向き送風で運転する。また、前記第二の温度環境にある場合は輻射冷房手段３の運転を停止すると共に送風手段５を下向き送風で運転する。また、前記第三の温度環境にある場合は輻射冷房手段３を運転すると共に送風手段５を上向き送風で運転する。また、前記第四の温度環境にある場合は輻射冷房手段３の運転を停止すると共に送風手段５の運転を停止する。また、この制御において輻射冷房手段３が運転されている時には、雰囲気温度検知センサー１６で検知した室温Ｔａと予め設定された設定温度Ｔｅの差に応じて輻射冷房手段３の運転レベルが制御される。なお、前記第三の温度環境にある場合は輻射冷房手段３が運転されると共に送風手段５が下向き送風で運転されるように制御し、ドラフト感のある冷房が行われるようにしても構わない。
【００４５】
このように本実施形態では、天井近傍温度検知センサー１５及び雰囲気温度検知センサー１６の検知結果並びに設定温度Ｔｅに基づいて、輻射冷房手段３及び送風手段５の両者の運転を制御できる。この場合、図７の（ａ）〜（ｄ）に示す矢印のように、被冷房室１の天井２近傍の温度Ｔｃ及び被冷房室１の床側の室温Ｔａを設定温度Ｔｅ１，Ｔｅ２の夫々に速やかに近づけることができ、被冷房室１の温度分布を速やかに利用者にとって快適なものにできる。
【００４６】
なお、本実施形態では操作器２０により設定温度Ｔｅ１，Ｔｅ２の両者を設定できるようにした。しかし、操作器２０では設定温度Ｔｅ２のみを設定できるようにし、この設定された設定温度Ｔｅ２に基づいて設定温度Ｔｅ１が自動的に設定されるようにしても構わない。また、この場合、設定温度Ｔｅ１は頭寒足熱の観点から設定温度Ｔｅ２よりも低い温度に自動設定されることが好ましい。
【００４７】
（第三実施形態）次に第三実施形態について説明する。なお、本実施形態では第一実施形態と同一の構成については同一の番号を付与し、第一実施形態と重複する説明は省略する。
【００４８】
図８乃至図１０に示す本実施形態の冷房システムは、検知手段６として雰囲気温度検知センサー１６と人感センサー１８のみを備えている。また、制御手段７はコントローラー２３を有さず、送風手段５の運転状況、雰囲気温度検知センサー１６及び人感センサー１８で検知したデータ及び操作部２５で設定されたデータは送風手段用制御器２１に送信されるよう設定されている。
【００４９】
本実施形態でも設定温度Ｔｅを設定した状態で利用者により操作部２５が操作されることで、制御手段７により輻射冷房手段３と送風手段５の運転を制御して自動冷房が行われる。この自動冷房時において所定時間毎に実行されるワンサイクルの制御では、送風手段用制御器２１が雰囲気温度検知センサー１６と人感センサー１８を用いて、室温Ｔａと被冷房室１内の人の有無の夫々を検知結果として取得する。そして、これら検知結果と設定温度Ｔｅに基づいて以下のように輻射冷房手段３と送風手段５の両者の運転を制御する。
【００５０】
すなわち、図１０のように送風手段用制御器２１は、前記ワンサイクルの制御において、人感センサー１８の検知結果に基づいて被冷房室１内に人が居ると判定した場合には、輻射冷房手段３を運転すると共に送風手段５を下向き送風で運転する（図中Ａ期間）。そして、この状態で被冷房室１内に人が居ないと判定した場合に、輻射冷房手段３の運転を停止すると共に送風手段５を上向き送風で運転する（図中Ｂ期間）。また、このように送風手段５を上向き送風で運転を開始してから所定時間が経過した時点で送風手段５の運転を停止する。また、前記輻射冷房手段３の運転時にあっては、雰囲気温度検知センサー１６で検知した室温Ｔａと予め設定された設定温度Ｔｅの差に応じて輻射冷房手段３の運転レベルが制御される。
【００５１】
このように本実施形態では、雰囲気温度検知センサー１６及び人感センサー１８の検知結果、並びに設定温度Ｔｅに基づいて、輻射冷房手段３及び送風手段５の両者の運転を制御できる。
【００５２】
特に被冷房室１内に人が居る場合に輻射冷房手段３を運転すると共に送風手段５を下向き送風で運転するのでドラフト感のある冷房を効率良く行うことができる。また、被冷房室１内に人が居なくなった場合には送風手段５を上向き送風で運転する。このため、輻射冷房手段３の運転停止後においては送風手段５により被冷房室１内の空気を天井２近傍に送って冷却部８で冷却することができ、運転停止後の冷却部８を有効に利用して被冷房室１内の床側の室温Ｔａを下げることができる。
【００５３】
（第四実施形態）次に第四実施形態について説明する。なお、本実施形態では第三実施形態と同一の構成については同一の番号を付与し、第三実施形態と重複する説明は省略する。
【００５４】
図１１に示す本実施形態の冷房システムでは、自動冷房時において所定時間毎に実行されるワンサイクルの制御において、被冷房室１内の人の有無の検知に代えて、人感センサー１８を用いて被冷房室１内に居る人の動きが多いか少ないかを検知する。そして、この検知結果と、雰囲気温度検知センサー１６で検知した被冷房室１の床側の室温Ｔａと、設定温度Ｔｅに基づいて以下のように輻射冷房手段３と送風手段５の両者の運転を制御する。
【００５５】
すなわち、図１１のように送風手段用制御器２１は、前記ワンサイクルの制御において、人感センサー１８の検知結果に基づいて被冷房室１内に居る人の動きを検知し、この検知から所定時間ｔ１経過するまでの間に再度人感センサー１８により被冷房室１内に居る人の動きを検知した場合に被冷房室１内の人の動きが多いと判定する。また、前記所定時間ｔ１内に被冷房室１内に居る人の動きを検知しなかった場合には被冷房室１内の人の動きが少ないと判定する。そして、被冷房室１内の人の動きが多いと判定した場合には輻射冷房手段３を運転すると共に送風手段５を下向きで運転する。そしてこの後に人感センサー１８により被冷房室１内に居る人の動きを検知しない状態が所定時間ｔ２継続した場合に輻射冷房手段３及び送風手段５の運転を停止する。また、被冷房室１内の人の動きが少ないと判定した場合には輻射冷房手段３を運転すると共に送風手段５を上向き送風で所定時間ｔ３だけ運転する。そしてこの後に人感センサー１８により被冷房室１内に居る人の動きを検知しない状態が所定時間ｔ２継続した場合に輻射冷房手段３の運転を停止する。なお、輻射冷房手段３の運転時にあっては、雰囲気温度検知センサー１６で検知した室温Ｔａと予め設定された設定温度Ｔｅの差、あるいはこの差と被冷房室１内の人の動きの多少に応じて輻射冷房手段３の運転レベルが制御される。また、前記送風手段５が上向き送風で所定時間ｔ３運転されている間に被冷房室１内の人の動きが少ないと判定されたとしても、前記送風手段５の上向き送風を所定時間ｔ３だけ運転する制御はキャンセルされる。
【００５６】
本実施形態では、被冷房室１内の人の動きが多い場合に輻射冷房手段３を運転すると共に送風手段５を下向き送風で運転するのでドラフト感のある冷房を効率良く行うことができる。また、被冷房室１内の人の動きが少ない場合には送風手段５を上向き送風で運転する。このため、輻射冷房手段３の運転停止後においては送風手段５により被冷房室１内の空気を天井２近傍に送って冷却部８で冷却することができ、運転停止後の冷却部８を有効に利用して被冷房室１内の室温Ｔａを低下させることができる。
【００５７】
（第五実施形態）次に第五実施形態について説明する。なお、本実施形態では第一実施形態と同一の構成については同一の番号を付与し、第一実施形態と重複する説明は省略する。
【００５８】
図１２乃至図１４に示す本実施形態の冷房システムは、検知手段６として、雰囲気温度検知センサー１６と、壁用温度センサー１７のみを備えている。本実施形態では被冷房室１の四方の壁面１９の温度を検出できるよう送風手段５に４個の壁用温度センサー１７が設けられている。また、制御手段７はコントローラー２３を有さず、送風手段５の運転状況、雰囲気温度検知センサー１６及び人感センサー１８で検知したデータ及び操作部２５で設定されたデータは送風手段用制御器２１に送信されるよう設定されている。
【００５９】
本実施形態でも設定温度Ｔｅを設定した状態で利用者により操作部２５が操作されることで、制御手段７により輻射冷房手段３と送風手段５の両者の運転を制御して自動冷房が行われる。
【００６０】
この自動冷房時において所定時間毎に実行されるワンサイクルの制御では、送風手段用制御器２１が雰囲気温度検知センサー１６と各壁用温度センサー１７を用いて、室温Ｔａと被冷房室１の四方の壁面１９の温度Ｔｗ１〜Ｔｗ４を検知結果として取得し、これら検知結果と設定温度Ｔｅに基づいて以下のように輻射冷房手段３と送風手段５の両者の運転を制御する。
【００６１】
すなわち、送風手段用制御器２１には、予めテーブル情報として、室温Ｔａと壁面平均温度Ｔｗａの組み合わせに応じて最適となる、輻射冷房手段３の運転レベル、送風手段５の運転の有無及び送風の向きが記録されている。そして、送風手段用制御器２１は、前記ワンサイクルの制御において、まず各壁用温度センサー１７で検知した壁面温度Ｔｗ１〜Ｔｗ４から壁面平均温度Ｔｗａ（Ｔｗａ＝（Ｔｗ１＋Ｔｗ２＋Ｔｗ３＋Ｔｗ４）／４）を算出する。次に前記テーブル情報に基づいて、室温Ｔａと壁面平均温度Ｔｗａの組み合わせが図１４の（１）〜（１０）のエリア、あるいは（１）〜（１０）以外のエリアのうち、いずれに属しているかを判定する。そして、この判定結果から以下のように輻射冷房手段３及び送風手段５の駆動方法を決定する。
【００６２】
送風手段用制御器２１は、図１４の（１）〜（１０）のエリア以外のエリアに属している場合、輻射冷房手段３の運転を停止すると共に送風手段５の運転を停止する。また、図１４の（１）又は（１０）のエリアに属している場合、輻射冷房手段３を運転レベルを弱にして運転すると共に送風手段５を上向き送風で運転する。また、図１４の（２）又は（４）のエリアに属している場合、輻射冷房手段３を運転レベルを弱にして運転すると共に送風手段５を下向き送風で運転する。また、図１４の（３），（５）、又は（７）のエリアに属している場合、輻射冷房手段３を運転レベルを中にして運転すると共に送風手段５を下向き送風で運転する。また、図１４の（６），（８），又は（９）のエリアに属している場合、輻射冷房手段３を運転レベルを強にして運転すると共に送風手段５を下向き送風で運転する。
【００６３】
本実施形態では、雰囲気温度検知センサー１６及び壁用温度センサー１７の検知結果に基づいて輻射冷房手段３及び送風手段５を運転できる。特に利用者が体に感じる暑さに影響を与える被冷房室１の雰囲気温度と壁面１９からの放射熱を考慮して快適な冷房を行うことができ、有効である。
【００６４】
なお、前記第二〜第五実施形態では、各種データを送風手段用制御器２１に送信し、送風手段用制御器２１により送風手段５の運転や輻射冷房手段用制御器２２を介した輻射冷房手段３の運転の制御を行うようにした。しかし、各種データを輻射冷房手段用制御器２２に送信し、輻射冷房手段用制御器２２により輻射冷房手段３の運転や送風手段用制御器２１を介した送風手段５の運転の制御を行うようにしてもよい。また、第一実施形態のように送風手段用制御器２１や輻射冷房手段用制御器２２とは別にコントローラーを設けてもよい。すなわち、この場合は、各種データーをコントローラーに送信し、該コントローラーにより輻射冷房手段用制御器２２を介して輻射冷房手段３の運転を制御すると共に送風手段用制御器２１を介して送風手段５の運転の制御する。
【００６５】
また、第一〜第五実施形態における各種データの通信は有線方式又は無線方式のいずれであってもよい。また、第一〜第五実施形態では天井面全体を冷却部８としたが、天井面の一部を冷却部としても構わない。また、輻射冷房手段３は被冷房室１の天井面に設けられてヒートポンプ等により冷却される輻射パネルで構成してもよい。また、検知手段６は第一〜第五実施形態に限定されるものではなく、例えば被冷房室１内の各種データをセンサーで検知して、ＰＭＶ（Ｐｒｅｄｉｃｔｅｄ  Ｍｅａｎ  Ｖｏｔｅ）、ＰＰＤ（Ｐｒｅｄｉｃｔｅｄ  Ｐｅｒｃｅｎｔａｇｅ  ｏｆ  Ｄｉｓｓａｔｉｓｆｉｅｄ）、体感温度、修正有効温度（ＣＥＴ）等の指標に準ずる数値を算出し、これに基づいて輻射冷房手段３と送風手段５の運転を制御するようにしてもよい。
【００６６】
また、第一〜第五実施形態における送風手段５は図１５に示すような被冷房室１内の空気循環機能を有する内装パネル２６で構成しても構わない。この内装パネル２６は例えば建物の間柱間に設置されて被冷房室１の壁面１９の一部を構成する。内装パネル２６の室内側に露出する前面の上下端部には上側通気口２７及び下側通気口２８が夫々設けられている。上側通気口２７と下側通気口２８は内装パネル２６内に形成された図示しない通気路を介して連通し、通気路には図示しない循環用ファンが設けられている。この循環用ファンは正逆両方向に回転可能なものである。この循環用ファンを一方向に回転させることで矢印ｃに示すように被冷房室１内の天井２近傍の空気を上側通気口２７から通気路内に吸い込むと共にこの空気を矢印ｄに示すように下側通気口２８を介して被冷房室１内の床近傍に送る送風を行える。また、この循環用ファンを逆方向に回転させることで矢印ｅに示すように被冷房室１内の床近傍の空気を下側通気口２８から通気路内に吸い込むと共にこの空気を矢印ｆに示すように上側通気口２７を介して被冷房室１内の天井２近傍に送る送風を行える。このような内装パネル２６で送風手段５を構成した場合も、前記送風手段５を天井扇で構成した場合と同様の作用効果が得られる。
【００６７】
また、本発明は本明細書において説明した例や図面に図示された例には限定されず、本発明の要旨を逸脱しない範囲において、各種の設計変更や改良を行ってよいのは勿論である。
【符号の説明】
【００６８】
１  被冷房室
２  天井
３  輻射冷房手段
５  送風手段
６  検知手段
７  制御手段
１６  雰囲気温度検知センサー
１７  壁用温度センサー
１８  人感センサー
１９  壁面
２１  送風手段用制御器
２２  輻射冷房手段用制御器
２３  コントローラー
【図１】
0005491965.tif 000003
【図２】
0005491965.tif 000004
【図３】
0005491965.tif 000005
【図４】
0005491965.tif 000006
【図５】
0005491965.tif 000007
【図６】
0005491965.tif 000008
【図７】
0005491965.tif 000009
【図８】
0005491965.tif 000010
【図９】
0005491965.tif 000011
【図１０】
0005491965.tif 000012
【図１１】
0005491965.tif 000013
【図１２】
0005491965.tif 000014
【図１３】
0005491965.tif 000015
【図１４】
0005491965.tif 000016
【図１５】
0005491965.tif 000017